(57)【要約】【課題】簡易な構成で、散水や雨等の影響によって生じる計測誤差を防止し、農作物の栽培地における温度や湿度等の環境値を正確に計測することが可能な環境監視装置及び環境監視装置用容器を提供する。【解決手段】環境監視装置は、環境値を測定するセンサと、センサを内部に収容可能な本体部と、蓋部と、底板と、から構成されている。本体部の側壁２３には、側壁２３を貫通して内部空間Ｓと本体部の外とを連通させる連通穴２４が形成されている。連通穴２４の内壁には、側壁２３の外面側に形成された外側開口２５から、側壁２３の内面側であって外側開口２５の下端２５ａよりも上方位置に形成された内側開口２６までの間に、下から上に向かって延出した第一段部２７及び上から下に向かって延出した第二段部２８が形成されている。【選択図】図４
2019024448.tif 000002
【特許請求の範囲】
【請求項１】
環境値を感知する感知部を有する環境値測定用のセンサと、
側壁及び天井壁に囲まれた内部空間内に前記感知部を収容する収容容器と、を備え、
前記側壁は、前記内部空間と前記収容容器の外とを連通するために形成された連通穴を有し、
前記連通穴は、前記収容容器の外に面した外側開口と、前記内部空間に面しており前記外側開口の下端よりも前記天井壁に近い位置にある内側開口と、を有し、
前記外側開口から前記内側開口までの間に、少なくとも前記天井壁が位置する側の内壁と対向する側の内壁から前記天井壁が位置する側の内壁に向かって延出した段部が設けられていることを特徴とする環境監視装置。
【請求項２】
前記段部は、
前記外側開口から前記内側開口までの間であって前記内側開口に面する位置に、前記天井壁が位置する側の内壁と対向する側の内壁から前記天井壁が位置する側の内壁に向かって延出した第一段部と、
前記外側開口から前記内側開口までの間であって前記外側開口に面する位置に、前記天井壁が位置する側の内壁から前記天井壁が位置する側の内壁と対向する側の内壁に向かって延出した第二段部と、から成ることを特徴とする請求項１に記載の環境監視装置。
【請求項３】
前記連通穴は、第一連通穴と該第一連通穴よりも下方位置に設けられた第二連通穴とを有し、
前記感知部は、前記内部空間において、前記第一連通穴の位置よりも下方位置であって前記第二連通穴の位置よりも上方位置に固定されたことを特徴とする請求項１又は２に記載の環境監視装置。
【請求項４】
前記収容容器の底面に底板をさらに備え、
前記底板は、前記収容容器の外と連通する排水穴と、該排水穴に向けて形成されたテーパ部とを備えたことを特徴とする請求項１乃至３のいずれか１項に記載の環境監視装置。
【請求項５】
側壁及び天井壁に囲まれた内部空間内に、環境値測定用のセンサの環境値を感知する感知部を収容する収容容器であって、
前記側壁は、前記内部空間と前記収容容器の外とを連通するために形成された連通穴を有し、
前記連通穴は、前記収容容器の外に面した外側開口と、前記内部空間に面しており前記外側開口の下端よりも前記天井壁に近い位置にある内側開口と、を有し、
前記外側開口から前記内側開口までの間に、少なくとも前記天井壁が位置する側の内壁と対向する側の内壁から前記天井壁が位置する側の内壁に向かって延出した段部が設けられていることを特徴とする環境監視装置用収容容器。
【請求項６】
前記段部は、
前記外側開口から前記内側開口までの間であって前記内側開口に面する位置に、前記天井壁が位置する側の内壁と対向する側の内壁から前記天井壁が位置する側の内壁に向かって延出した第一段部と、
前記外側開口から前記内側開口までの間であって前記外側開口に面する位置に、前記天井壁が位置する側の内壁から前記天井壁が位置する側の内壁と対向する側の内壁に向かって延出した第二段部と、から成ることを特徴とする請求項５に記載の環境監視装置用収容容器。
【発明の詳細な説明】
【技術分野】
【０００１】
本発明は、環境監視装置及び環境監視装置用容器に係り、特に、温度や湿度等の環境を監視するための環境監視装置、及びその環境監視装置に用いられる環境監視装置用容器に関する。
【背景技術】
【０００２】
農作物の十分な育成を図るためには温度や湿度等の環境管理を適正に行う必要がある。上記のような環境管理のために、農業従事者が通信技術を利用して遠隔地で栽培している農作物の栽培地を監視することは、従来から既に知られており、例えば、栽培地での気温、湿度、日射量等の環境値を遠隔監視する監視システムが存在する（特許文献１）。
【０００３】
特許文献１に記載された監視システムは、個々のビニールハウスに設置されてビニールハウス内の温度や湿度等の環境値を測定するセンサを備えた監視端末と、その監視端末から送信される情報を受信するサーバと、そのサーバと通信可能なパソコンとを構成要素としている。これにより、農作物の栽培者は、自己が使用するビニールハウスの室内温度や湿度等の環境値を遠隔で、具体的には自宅に居ながらにしてパソコンで閲覧することによって、監視することが可能となる。
【先行技術文献】
【特許文献】
【０００４】
【特許文献１】特開２００３−２９６８６５号公報
【発明の概要】
【発明が解決しようとする課題】
【０００５】
しかしながら、ビニールハウス等の農業ハウスや屋外農場等、農作物の栽培地では、農作物の育成のために散水を行なう必要があったり、雨水が降り込んできたりする場合もある。散水や雨等により、農作物の栽培地に設置されている温度や湿度等の環境値を測定するセンサの感知部に水がかかって濡れたりする（水滴が付着する）と、計測誤差が生じ、正確な温度や湿度等の環境値を測定することができない。このような誤差が生じると、上記のような監視システムによって、せっかく温度や湿度等の環境を監視しているにもかかわらず、農作物の生育に悪影響を及ぼすおそれが生じる。
【０００６】
そこで、本発明は、上記の問題に鑑みてなされたものであり、その目的は、簡易な構成で、散水や雨等の影響によって生じる計測誤差を防止し、農作物の栽培地における温度や湿度等の環境値を正確に計測することが可能な環境監視装置及び環境監視装置用容器を提供することである。
【課題を解決するための手段】
【０００７】
前記課題は、本発明の環境監視装置によれば、環境値を感知する感知部を有する環境値測定用のセンサと、側壁及び天井壁に囲まれた内部空間内に前記感知部を収容する収容容器と、を備え、前記側壁は、前記内部空間と前記収容容器の外とを連通するために形成された連通穴を有し、前記連通穴は、前記収容容器の外に面した外側開口と、前記内部空間に面しており前記外側開口の下端よりも前記天井壁に近い位置にある内側開口と、を有し、前記外側開口から前記内側開口までの間に、少なくとも前記天井壁が位置する側の内壁と対向する側の内壁から前記天井壁が位置する側の内壁に向かって延出した段部が設けられていること、により解決される。
【０００８】
上記構成のように、収容容器の側壁に形成された収容容器の内部空間と外とを連通する連通穴において、外側開口からその外側開口の下端よりも上方である天井壁に近い位置に形成された内側開口までの間に、少なくとも天井壁が位置する側の内壁と対向する側の内壁から天井壁が位置する側の内壁、すなわち下から上に向かって延出した段部を設けることにより、散水や雨等により環境監視装置に水が掛り、仮に連通穴に水が入り込んだとしても、その段部により水を収容容器の内部空間まで届き難くし、その連通穴から内部空間への水の浸入を防ぐことができる。そのため、内部空間に収容されているセンサの感知部の水濡れを好適に防止し、温度や湿度等の環境値を正確に計測することができる。
【０００９】
また、本発明の環境監視装置は、前記段部は、前記外側開口から前記内側開口までの間であって前記内側開口に面する位置に、前記天井壁が位置する側の内壁と対向する側の内壁から前記天井壁が位置する側の内壁に向かって延出した第一段部と、前記外側開口から前記内側開口までの間であって前記外側開口に面する位置に、前記天井壁が位置する側の内壁から前記天井壁が位置する側の内壁と対向する側の内壁に向かって延出した第二段部と、から成ること、が好適である。
【００１０】
上記構成のように、連通穴において、内側開口に面する位置に天井壁が位置する側の内壁と対向する側の内壁から天井壁が位置する側の内壁、すなわち下から上に向かって延出した第一段部と、外側開口に面する位置に天井壁が位置する側の内壁から天井壁が位置する側の内壁と対向する側の内壁、すなわち上から下に向かって延出した第二段部と、を設けることにより、散水や雨等により環境監視装置に水が掛ったとしても、第二段部により外側開口から連通穴に入り込む水を減少させることができ、仮に連通穴に水が入り込んだとしても、第一段部により水を収容容器の内部空間まで届き難くすることができるので、連通穴から内部空間への水の浸入をより好適に防ぐことができる。そのため、内部空間に収容されているセンサの感知部の水濡れを好適に防止し、温度や湿度等の環境値を正確に計測することができる。
【００１１】
また、本発明の環境監視装置は、前記連通穴は、第一連通穴と該第一連通穴よりも下方位置に設けられた第二連通穴とを有し、前記感知部は、前記内部空間において、前記第一連通穴の位置よりも下方位置であって前記第二連通穴の位置よりも上方位置に固定されたこと、が好適である。
【００１２】
上記構成のように、高さの異なる位置に設けられた第一連通穴と第二連通穴とによって内部空間内での空気のスムーズな流れを確保することができるので、収容容器の内外での空気の温度差を少なくすることができ、温度や湿度等の環境値をより正確に計測することができる。また、内部空間内での第一連通穴と第二連通穴との空気の流路途中にセンサの感知部を設置することにより、水濡れを好適に防止しつつ、温度や湿度等の環境値をより正確に計測することができる。
【００１３】
また、本発明の環境監視装置は、前記収容容器の底面に底板をさらに備え、前記底板は、前記収容容器の外と連通する排水穴と、該排水穴に向けて形成されたテーパ部とを備えたこと、が好適である。
【００１４】
上記構成のように、収容容器の底面に排水穴を設け、その排水穴に向けてテーパ部を形成することにより、地面からの輻射熱を好適に抑えることができ、仮に連通穴から収容容器の内部空間に水が入り込んだ場合であってもその水を効率的に排水することができる。そのため、センサの感知部の水濡れを好適に防止し、温度や湿度等の環境値をより正確に計測することができる。
【００１５】
また、前記課題は、本発明の環境監視装置用容器によれば、側壁及び天井壁に囲まれた内部空間内に、環境値測定用のセンサの環境値を感知する感知部を収容する収容容器であって、前記側壁は、前記内部空間と前記収容容器の外とを連通するために形成された連通穴を有し、前記連通穴は、前記収容容器の外に面した外側開口と、前記内部空間に面しており前記外側開口の下端よりも前記天井壁に近い位置にある内側開口と、を有し、前記外側開口から前記内側開口までの間に、少なくとも前記天井壁が位置する側の内壁と対向する側の内壁から前記天井壁が位置する側の内壁に向かって延出した段部が設けられていること、により解決される。
【００１６】
上記構成のように、収容容器の側壁に形成された収容容器の内部空間と外とを連通する連通穴において、外側開口からその外側開口の下端よりも上方である天井壁に近い位置に形成された内側開口までの間に、少なくとも天井壁が位置する側の内壁と対向する側の内壁から天井壁が位置する側の内壁、すなわち下から上に向かって延出した段部を設けることにより、散水や雨等により環境監視装置に水が掛り、仮に連通穴に水が入り込んだとしても、その段部により水を収容容器の内部空間まで届き難くし、その連通穴から内部空間への水の浸入を防ぐことができる。そのため、内部空間に収容されているセンサの感知部の水濡れを好適に防止し、温度や湿度等の環境値を正確に計測することができる。
【００１７】
また、本発明の環境監視装置用容器は、前記段部は、前記外側開口から前記内側開口までの間であって前記内側開口に面する位置に、前記天井壁が位置する側の内壁と対向する側の内壁から前記天井壁が位置する側の内壁に向かって延出した第一段部と、前記外側開口から前記内側開口までの間であって前記外側開口に面する位置に、前記天井壁が位置する側の内壁から前記天井壁が位置する側の内壁と対向する側の内壁に向かって延出した第二段部と、から成ること、により解決される。
【００１８】
上記構成のように、連通穴において、内側開口に面する位置に天井壁が位置する側の内壁と対向する側の内壁から天井壁が位置する側の内壁、すなわち下から上に向かって延出した第一段部と、外側開口に面する位置に天井壁が位置する側の内壁から天井壁が位置する側の内壁と対向する側の内壁、すなわち上から下に向かって延出した第二段部と、を設けることにより、散水や雨等により環境監視装置に水が掛ったとしても、第二段部により外側開口から連通穴に入り込む水を減少させることができ、仮に連通穴に水が入り込んだとしても、第一段部により水を収容容器の内部空間まで届き難くすることができるので、連通穴から内部空間への水の浸入をより好適に防ぐことができる。そのため、内部空間に収容されているセンサの感知部の水濡れを好適に防止し、温度や湿度等の環境値を正確に計測することができる。
【発明の効果】
【００１９】
本発明によれば、簡易な構成で、散水や雨等の影響によって生じる計測誤差を防止し、農作物の栽培地における温度や湿度等の環境値を正確に計測することが可能な環境監視装置及び環境監視装置用容器を提供することができる。
【図面の簡単な説明】
【００２０】
【図１】本発明に係る環境監視装置の分解斜視図である。
【図２】同環境監視装置の斜視図である。
【図３】同環境監視装置の要部断面図である。
【図４】同環境監視装置に形成された連通穴の拡大断面図である。
【図５】同環境監視装置に形成された連通穴の第一変形例を示す拡大断面図である。
【図６】同環境監視装置に形成された連通穴の第二変形例を示す拡大断面図である。
【発明を実施するための形態】
【００２１】
以下、本発明の一実施形態（以下、本実施形態）について図面を参照しながら説明する。
なお、以下に説明する実施形態は、あくまでも本発明の理解を容易にするための一例にすぎず、本発明を限定するものではない。つまり、本発明は、その趣旨を逸脱することなく、変更、改良され得ると共に、本発明にはその等価物が含まれることは勿論である。
【００２２】
まず、本実施形態に係る環境監視装置１０の構成について説明する。
図１は、環境監視装置１０を構成部材ごとに分けて示した分解斜視図である。図２は、環境監視装置１０の斜視図である。図３は、環境監視装置１０の要部断面図である。図４は、環境監視装置１０に形成された連通穴２４の拡大断面図である。図５は、環境監視装置１０に形成された連通穴２４の第一変形例を示す拡大断面図である。図６は、環境監視装置１０に形成された連通穴２４の第二変形例を示す拡大断面図である。
【００２３】
図１に示すように、環境監視装置１０は、主として、温度や湿度等の環境値を測定するセンサ１１と、センサ１１を内部に収容可能な直方体の筐体である本体部１２と、本体部１２の上方に取り付けられ、本体部１２の上方開口部を塞ぐと共にセンサ１１の位置決めを行う蓋部１３と、本体部１２の下方に取り付けられ、本体部１２の下方開口部を塞ぐ底板１４と、から構成されている。
なお、本実施形態においては、本体部１２、蓋部１３及び底板１４が、環境監視装置用の収容容器に相当する。
【００２４】
センサ１１は、温度や湿度等の環境値を測定し、その測定結果をデジタルデータに変換して出力することにより、データ通信が可能な従来既知の温湿度トランスミッターである。センサ１１は、主に、空気に触れて温度や湿度を感知する感知部１５と、その感知部１５に接続されたケーブル１６と、センサ１１の位置を固定する筒状のガイド１７と、センサ１１を本体部１２に固定するためのボルト等の固定具１８と、その固定具１８とケーブル１６の一部等を覆って保護するための保護カバー１９と、から構成されている。
なお、環境値とは、空気に触れることにより測定することができる環境に関する指標値のことであり、温度や湿度の他、気圧や二酸化炭素濃度等を測定することとしてもよい。
また、本実施形態では、環境値測定用のセンサとして温度及び湿度の双方を測定することが可能なセンサ１１を取り挙げたが、これに限定されるものではなく、温度測定用のセンサと湿度測定用のセンサとを別々に用いることとしてもよいし、いずれか一方のセンサであってもよい。また、温湿度を測定できるセンサと共に又はそれに代えて、気圧や二酸化炭素濃度等を測定できるセンサを用いることとしてもよい。
また、本体部１２内に案内するための部材の途中にエルボ等の硬質ポリ塩化ビニル管から成る継手を配置してもよい。
【００２５】
本体部１２は、その内部にセンサ１１を収容することができる空間を有する直方体の筐体である。本体部１２の材質や色は特に限定されないが、本体部１２内外の空気の温度差や湿度差がなるべく少なくなるように、本実施形態では、熱伝導性の低い木材により製作され、放射熱をなるべく遮断できるよう外表面は白色に塗装されている。
また、本体部１２の上面には、センサ１１を位置決めして固定すると共に、蓋部１３を支持して固定するための支持板２０を備えている。その支持板２０の略中央部分には、センサ１１を貫通させるための貫通穴２１が上下方向に形成されている。一方、本体部１２の下側には、四隅に脚部２２が形成されており、この脚部２２により、本体部１２は自立することができる。
なお、本実施形態では、本体部１２の形状を矩形形状としたが、これに限定されるものではなく、その内部にセンサ１１を内壁に接触しない状態で収容できる形状であればよい。例えば、円筒形状、中空状のその他多角形の角柱形状であってもよい。
【００２６】
本体部１２は、四方の側面を側壁２３により囲まれており、その側壁２３により、本体部１２の内部には内部空間Ｓが形成されている。
側壁２３には、その側壁２３を貫通して内部空間Ｓと本体部１２の外とを連通させる連通穴２４（第一連通穴２４Ａ、第二連通穴２４Ｂ）が複数形成されている。具体的に、連通穴２４は、本体部１２の上方に形成された第一連通穴２４Ａと、本体部１２の下方、すなわち、第一連通穴２４Ａより下方位置に形成された第二連通穴２４Ｂとから成る。
本実施形態では、第一連通穴２４Ａと第二連通穴２４Ｂと同様の形状であり、横長尺形状のスリットにより形成されている。また、第一連通穴２４Ａは、側面を成す側壁２３に２箇所ずつ、本体部１２全体で合計８箇所形成されており、第二連通穴２４Ｂは、側面を成す側壁２３に３箇所ずつ、本体部１２全体で合計１２カ所形成されている。
なお、連通穴２４の形状及び数等は、上記に限定されるものではなく、側壁２３を貫通して本体部１２の内部空間Ｓと本体部１２の外とを連通させるものであればよい。例えば、円形等の開口形状の穴であってもよいし、形状や大きさ（開口面積）の異同も問わない。また、第一連通穴２４Ａと第二連通穴２４Ｂの数についても、異同は問わない。
【００２７】
図４に示すように、連通穴２４の内壁には、側壁２３の外面側に形成された外側開口２５から、側壁２３の内面側であって外側開口２５の下端２５ａよりも上方位置に形成された内側開口２６までの間に、下から上に向かって延出した第一段部２７及び上から下に向かって延出した第二段部２８が形成されている。これにより、縦断面において、連通穴２４は、クランク形状を成している。
なお、本実施形態において、段部とは、高さが異なり段差が生じている箇所をいう。
【００２８】
本実施形態においては、連通穴２４は、外側開口２５側から第一段部２７の外側領域に形成された穴２４ａと、内側開口２６側から第二段部２８の内側（内部空間Ｓ側）領域に形成された穴２４ｂと、が連通することにより形成されている。このとき、第一段部２７は、内側開口２６に面する位置において、内外方向に対して比較的薄く形成されている。一方、第二段部２８は、外側開口２５に面する位置において、第一段部２７よりも内外方向に対して厚く形成されている。そのため、穴２４ａは、穴２４ｂよりも体積が大きく形成されている。
【００２９】
ただし、連通穴２４の断面形状はこれに限定されるものではなく、図５の第一変形例に示すように、例えば、外側開口２５側及び内側開口２６側から同じ距離だけ穴２４ａ、２４ｂを形成し、その穴２４ａと穴２４ｂとを連通することにより、連通穴２４を形成してもよい。このとき、第一段部２７及び第二段部２８の内外方向の厚みは略同等となるように形成してもよい。
また、図６に示すように、第二段部２８を形成せずに、第一段部２７のみ形成することとしてもよい。
【００３０】
蓋部１３は、本体部１２の上方に着脱可能に取り付けられ、本体部１２の上方開口部を塞ぐ板状の部材である。この蓋部１３も本体部１２と同様、熱伝導性の低い木材によって製作されている。蓋部１３の外形は、本体部１２の側壁２３の外形よりもやや広く設定されており、本体部１２の上部をこの蓋部１３の内側領域に嵌め込むことにより、蓋部１３を本体部１２に固定している。また、蓋部１３の略中央部分には、センサ１１を貫通させるための貫通穴２９が上下方向に形成されている。
なお、本実施形態においては、蓋部１３が天井壁に相当する。
【００３１】
底板１４は、本体部１２の下方に着脱可能に取り付けられ、本体部１２の下方開口部を塞ぐ板状の部材である。底板１４の外形は、本体部１２の側壁２３の内側形状と略同一であり、底板１４を本体部１２の下部の開口に嵌め込むことにより、底板１４を本体部１２に固定している。また、底板１４の略中央部分には、外部と連通する排水穴３０が設けられている。また、その排水穴３０の周囲にはテーパ部３１が形成されており、排水穴３０のある略中央部分が相対的に低い位置となっている。また、テーパ部３１には水を排水穴３０に導く不図示の溝や突条等を設けてもよい。
【００３２】
図２及び図３に示すように、環境監視装置１０は、上記構成のセンサ１１、本体部１２、蓋部１３及び底板１４を組み合わせることにより構成される。
具体的には、本体部１２の上方開口部は、蓋部１３により閉鎖されており、少なくとも上方向から本体部１２の内部空間Ｓに水が入らない構成となっている。また、下方開口部は、底板１４により閉鎖されている。
【００３３】
蓋部１３には、略中央部分に形成された貫通穴２９を貫通させたセンサ１１が位置決めされた状態で固定具１８及びガイド１７等によって固定されており、その蓋部１３を本体部１２に取り付けることにより、センサ１１の先端部分の感知部１５は、本体部１２内部に本体部１２の側壁２３の内周面に接触しない状態で収容される。なお、貫通穴２９は、固定具１８により密閉され、且つ、保護カバー１９により覆われていることにより、貫通穴２９から本体部１２の内部空間Ｓに水漏れすることもない。
【００３４】
また、本体部１２には、上述したように、高さの異なる位置に第一連通穴２４Ａと第二連通穴２４Ｂが設けられているが、センサ１１の感知部１５は、第一連通穴２４Ａよりも下方の位置であって、第二連通穴２４Ｂよりも上方の位置において、固定されている。
このように、高さの異なる位置に第一連通穴２４Ａと第二連通穴２４Ｂの二種類の連通穴を備え、第一連通穴２４Ａと第二連通穴２４Ｂとの間で空気の流れを生じさせることにより、本体部１２の内部空間Ｓに空気を取り入れ、且つ、空気を流動させることができるので、本体部１２の内部空間Ｓと本体部１２の外側との空気の温度差は殆どない状態となる。
特に、センサ１１は、第一連通穴２４Ａよりも下方位置であって第二連通穴２４Ｂよりも上方位置にて固定されているので、本体部１２の内部空間Ｓで流動する空気の温度等を最適な位置で測定することができるうえ、センサ１１の感知部１５が水に濡れることもない。
【００３５】
また、連通穴２４（第一連通穴２４Ａ及び第二連通穴２４Ｂ）には、外側開口２５と内側開口２６との間に、第一段部２７及び第二段部２８が形成されていることにより、散水や雨等により環境監視装置１０に水が掛かったとしても、第二段部２８により連通穴２４に水が入り込み難く、仮に連通穴２４に水が入り込んだとしても、第一段部２７により水を内部空間Ｓまで届き難くし、その連通穴２４から内部空間Ｓへの水の浸入を好適に防ぐことができる。
そのため、内部空間Ｓに収容されているセンサ１１の感知部１５の水濡れを好適に防止し、温度や湿度等の環境値を正確に計測することができる。
【００３６】
また、底板１４により、地面からの輻射熱等、下方から熱が入り込んで本体部１２内部の温度が上昇することを防止しつつ、底板１４の略中央部分に設けた排水穴３０から、仮に内部空間Ｓに水が入り込んだ場合であってもその水を効率的に外部に排水することができるので、センサ１１の感知部１５が水に濡れることはない。
【００３７】
このように、本実施形態の環境監視装置１０は、コンパクト且つ簡易な構成でありながらも、本体部１２内部の空気の流動性を確保して、本体部１２内外の温度差をなくしつつ、本体部１２内部に収容されたセンサ１１の感知部１５は水濡れしない構成であるので、散水や雨等の影響によって生じる計測誤差を防止することができる。
【００３８】
また、上記の実施形態における環境監視装置１０は、それ自体で自立することが可能であるが、本体部１２の下方に、環境監視装置１０を支持する不図示の三脚や土台等を一体に備えることもできる。本実施形態の環境監視装置１０は、不図示のワイヤー等により上方から垂直又はやや斜めに吊り下げて設置するか、又は、地面等に置いて設置することにより使用するが、三脚等を備えることにより、環境監視装置１０を地面等に置いて使用する場合であっても、より安定して設置することができる。
【００３９】
さらに、上記の実施形態における環境監視装置１０の収容容器内には、本体部１２内部の水に濡れない位置に、センサ１１が測定した測定データを外部機器に向けて送信可能な不図示の無線機器を収容することもできる。これにより、配線設備を用意しなくても、測定データを外部（サーバやその他の通信端末等）に送信することが可能となる。そのため、使い勝手が向上すると共に、より低コストで正確な温度や湿度等の環境値を遠隔で確認することができる。
【００４０】
ここで、環境監視装置１０の具体的な使用態様について説明する。
上記構成の環境監視装置１０は、不図示の環境監視システムに組み込まれて使用されるものであり、具体的には、本実施形態に係る環境監視装置１０は、インターネットや３Ｇ回線等の通常回線、ＶＰＮ（仮想プライベートネットワーク）、又はその他の専用回線等から構成される外部通信網を通じて、遠隔地にあるビニールハウス等の農作物の栽培地の環境値を監視する農作物の栽培者の通信端末と通信可能であり、それらの通信端末（又はサーバ等でもよい）に定期的又は所定のタイミングでセンサ１１による測定結果を示すデータを送信するものである。
これにより、農作物栽培者は、自己の通信端末を通じて、農作物の栽培地の温度や湿度等の環境値を離れた場所において、リアルタイムで容易に確認することが可能となる。しかも、本実施形態では、散水や雨等によって環境監視装置１０に水がかかったとしても、センサ１１の感知部１５には水滴は付かず濡れないので計測誤差も生じず、農作物の栽培地における温度や湿度等の環境値を正確に計測することができる。そのため、遠隔地にいる農作物の栽培者は、環境値に関する正確な情報を入手することができ、適正な環境下において農作物の十分な栽培を図ることができる。
【符号の説明】
【００４１】
１０    環境監視装置
１１    センサ
１２    本体部
１３    蓋部
１４    底板
１５    感知部
１６    ケーブル
１７    ガイド
１８    固定具
１９    保護カバー
２０    支持板
２１    貫通穴
２２    脚部
２３    側壁
２４    連通穴
２４Ａ  第一連通穴
２４Ｂ  第二連通穴
２４ａ  穴
２４ｂ  穴
２５    外側開口
２５ａ  下端
２６    内側開口
２７    第一段部
２８    第二段部
２９    貫通穴
３０    排水穴
３１    テーパ部
Ｓ      内部空間
【図１】
2019024448.tif 000003
【図２】
2019024448.tif 000004
【図３】
2019024448.tif 000005
【図４】
2019024448.tif 000006
【図５】
2019024448.tif 000007
【図６】
2019024448.tif 000008